(57)【特許請求の範囲】
【請求項１】
シートに画像を形成する画像形成部と、前記画像形成部を収容する筐体と、を有する画像形成装置であって、
前記筐体に設けられ、電子部品が実装された基板を有する電装部であって、鉛直方向において前記画像形成装置の設置面と前記電装部の下面との間に空間が形成されるように、前記筐体の背面よりも前記電装部の背面が前記画像形成装置の背面側へ突出するように設けられる電装部と、
前記筐体に対して前記画像形成装置の背面側に設けられ、前記電装部を覆うカバーと、
前記カバーの外部と内部とを連通するように構成されるルーバであって、鉛直方向において前記電装部よりも下側において前記設置面との間に前記空間が形成されるように前記カバーに設けられるルーバと、を備え、
前記ルーバは、それぞれの間に開口が形成される複数の羽根部を有する第１のルーバ部材と、前記第１のルーバ部材に対して前記鉛直方向下側に設けられ、それぞれの間に開口が形成される複数の羽根部有する第２のルーバ部材と、を備え、
前記ルーバを前記鉛直方向において真下から見たときに、前記第２のルーバ部材の前記複数の羽根部は、前記第１のルーバ部材の前記開口に対してオーバーラップし、
前記第１のルーバ部材の開口と前記第２のルーバ部材の開口は、前記カバーの外部と内部とを連通し、
前記第２のルーバ部材は、前記カバーの内部で落下する流動体を貯留可能な貯留部を有し、
前記貯留部は、前記複数の羽根部の並び方向に関して水平面に対して傾斜する第１の傾斜面と、前記並び方向に関して水平面に対して傾斜すると共に前記第１の傾斜面に連続して設けられた第２の傾斜面と、を有する、
ことを特徴とする画像形成装置。
【請求項２】
前記ルーバは、前記並び方向一方側を前記並び方向他方側よりも低くなるように前記カバーに設けられ、
前記第１のルーバ部材の前記複数の羽根部は、前記並び方向に沿った形状の第１の重なり部と、前記第１の重なり部の前記並び方向他方側の端部から前記並び方向他方側に向けて斜め下方に突出した形状の第１の連結部とを有し、
前記第２のルーバ部材の前記複数の羽根部は、前記並び方向に沿った形状の第２の重なり部と、前記第１の連結部に接触すると共に前記第２の重なり部の前記並び方向一方側の端部から前記並び方向一方側に向けて斜め上方に突出した形状の第２の連結部とを有する、
ことを特徴とする請求項１に記載の画像形成装置。
【請求項３】
前記ルーバは、前記並び方向が水平面に対して０°＜θ≦５°となる傾斜角θの範囲で傾斜するように前記カバーに設けられる、
ことを特徴とする請求項１又は２に記載の画像形成装置。
【請求項４】
第１の連結部の先端部と第２の連結部の先端部とは上下方向に対向し、前記第２の連結部の先端部の上面は、前記第１の連結部の先端部の下面の下側に潜り込んで配置される、
ことを特徴とする請求項２に記載の画像形成装置。
【請求項５】
前記第１のルーバ部材の前記複数の羽根部と前記第２のルーバ部材の前記複数の羽根部との前記ルーバの正面視における重なり量は、前記第１のルーバ部材の前記複数の羽根部と前記第２のルーバ部材の前記複数の羽根部との鉛直方向における隙間の２倍以上である、
ことを特徴とする請求項１乃至４のいずれか１項に記載の画像形成装置。
【請求項６】
前記基板に実装され、電解液を含むコンデンサをさらに備える、
ことを特徴とする請求項１乃至５のいずれか１項に記載の画像形成装置。
【請求項７】
前記第２のルーバ部材の前記複数の羽根部は、マス目状に配置されている、
ことを特徴とする請求項１乃至６のいずれか１項に記載の画像形成装置。
【発明の詳細な説明】
【技術分野】
【０００１】
本発明は、装置本体の内外で換気を行うためのルーバを備えた画像形成装置に関する。
【背景技術】
【０００２】
従来、プリンタや電子写真方式の複写機等の画像形成装置は、装置本体の内部に各種の熱源や電気基板等、発熱部を有している。このため、装置本体内に送風ファンを有し、送風ファンにより空気流を形成することで装置本体内の機器類を冷却するようにした画像形成装置が知られている（特許文献１参照）。この画像形成装置では、装置本体の右側面に吸気口が形成され、装置本体の左側面に排気口が形成されている。送風ファンは排気口の内側に対向して設けられ、送風ファンの作動により吸気口から排気口へ装置本体内を流通する空気流が形成され、この空気流によって装置本体内の発熱部が冷却される。排気口及び吸気口には、空気を流通しながらも装置本体の外部から内部を容易に視認できないようにするために、ルーバが設けられている。
【先行技術文献】
【特許文献】
【０００３】
【特許文献１】特開２００３−７６２５３号公報
【発明の概要】
【発明が解決しようとする課題】
【０００４】
しかしながら、上述した特許文献１に記載の画像形成装置においては、ルーバが装置本体の側面に設けられているので、画像形成装置を設置する際に、部屋の壁面とカバーの側面とを合わせてしまうと、壁面によりルーバが塞がれてしまう。このため、ルーバが塞がれないように、装置本体を壁面から一定距離をおいて配置する必要があり、画像形成装置の配置における専有面積が装置本体の面積よりも大幅に広くなってしまうという課題があった。また、この画像形成装置では、ルーバが装置本体の側面に設けられているので、装置本体の上方あるいは側方から、視認する角度によってはルーバを通して内部が見えてしまうことがあり、外観が悪いという課題があった。
【０００５】
そこで、本発明は、装置本体にルーバを設けながらも、装置本体の設置面積の縮小と外観の向上とを図ることができる画像形成装置を提供することを目的とするものである。
【課題を解決するための手段】
【０００６】
本発明の画像形成装置は、シートに画像を形成する画像形成部と、前記画像形成部を収容する筐体と、を有する画像形成装置であって、前記筐体に設けられ、電子部品が実装された基板を有する電装部であって、鉛直方向において前記画像形成装置の設置面と前記電装部の下面との間に空間が形成されるように、前記筐体の背面よりも前記電装部の背面が前記画像形成装置の背面側へ突出するように設けられる電装部と、前記筐体に対して前記画像形成装置の背面側に設けられ、前記電装部を覆うカバーと、前記カバーの外部と内部とを連通するように構成されるルーバであって、鉛直方向において前記電装部よりも下側において前記設置面との間に前記空間が形成されるように前記カバーに設けられるルーバと、を備え、前記ルーバは、それぞれの間に開口が形成される複数の羽根部を有する第１のルーバ部材と、前記第１のルーバ部材に対して前記鉛直方向下側に設けられ、それぞれの間に開口が形成される複数の羽根部有する第２のルーバ部材と、を備え、前記ルーバを前記鉛直方向において真下から見たときに、前記第２のルーバ部材の前記複数の羽根部は、前記第１のルーバ部材の前記開口に対してオーバーラップし、前記第１のルーバ部材の開口と前記第２のルーバ部材の開口は、前記カバーの外部と内部とを連通し、前記第２のルーバ部材は、前記カバーの内部で落下する流動体を貯留可能な貯留部を有し、前記貯留部は、前記複数の羽根部の並び方向に関して水平面に対して傾斜する第１の傾斜面と、前記並び方向に関して水平面に対して傾斜すると共に前記第１の傾斜面に連続して設けられた第２の傾斜面と、を有することを特徴とする。
【発明の効果】
【０００７】
本発明の画像形成装置では、下方に空間を有して設けられる電装部を覆うカバーの下面に、カバーの内部と電装部の下方の空間とを連通するルーバが設けられている。これにより、装置本体の側面を壁面に合わせて設置してもルーバが閉塞されることはないので、画像形成装置を壁面に合わせて設置することができる。また、ルーバがカバーの下面に設置されているので、装置本体の上方あるいは側方からルーバを通してカバーの内部が見えてしまうことはない。このため、装置本体にルーバを設けながらも、装置本体の設置面積の縮小と外観の向上とを図ることができる。
【図面の簡単な説明】
【０００８】
【図１】本発明の実施の形態に係る画像形成装置の概略構成を示す断面図。
【図２】本発明の実施の形態に係る画像形成装置の側方から視た断面図。
【図３】本発明の実施の形態に係るルーバをカバーに取り付けた状態を示す斜視図。
【図４】本発明の実施の形態に係るルーバの全体を示す分解斜視図。
【図５】本発明の実施の形態に係るルーバの一部を切断した拡大斜視図であり、（ａ）は組立前の状態、（ｂ）は組立後の状態である。
【図６】本発明の実施の形態に係るルーバの断面図。
【発明を実施するための形態】
【０００９】
以下、本発明の実施形態を、図１〜図６を参照しながら詳細に説明する。尚、本実施の形態では、画像形成装置の一例としてタンデム型のフルカラープリンタについて説明している。但し、本発明はタンデム型の画像形成装置に限られず、他の方式の画像形成装置であってもよく、また、フルカラーであることにも限られず、モノクロやモノカラーであってもよい。
【００１０】
まず、図１に示す画像形成装置１の構成について説明する。画像形成装置１は、画像形成装置本体（以下、装置本体という）１０を備えている。装置本体１０は、シート給送部２０と、画像形成部４０と、シート搬送部５０と、シート排出部６０と、制御部７０と、を備えている。記録材であるシートＳは、トナー像が形成されるものであり、具体例として、普通紙、普通紙の代用品である樹脂製のシート、はがき、厚紙、オーバーヘッドプロジェクタ用シート等がある。
【００１１】
シート給送部２０は、記録紙等のシートＳを収容するシートカセット２０ａと、シートＳを積載して昇降可能な給送トレイ２１と、給送ローラ２２と、分離部２３とを有し、画像形成部４０にシートＳを給送する。給送トレイ２１は、シートＳを積載して昇降可能であり、下降時にはユーザがシートＳを積載可能であり、上昇時には最上位シートが給送ローラ２２に接触する。
【００１２】
画像形成部４０は、画像形成ユニット４１と、トナーボトル４２と、レーザスキャナ４３と、中間転写ユニット４４と、二次転写部４５と、定着装置４６とを有し、画像形成を行う。
【００１３】
画像形成ユニット４１は、イエロー（ｙ）、マゼンタ（ｍ）、シアン（ｃ）、ブラック（ｋ）の４色のトナー画像を形成するための４個の作像ユニット４１ｙ，４１ｍ，４１ｃ，４１ｋを有している。これらは、それぞれ装置本体１０に対してユーザにより着脱可能なプロセスカートリッジとして構成されている。例えば、作像ユニット４１ｙは、トナー画像を形成する像担持体である感光ドラム４７ｙと、不図示の帯電ローラと、現像ローラと、ドラムクリーニングブレードと、トナー等を有している。また、作像ユニット４１ｙには、トナーが充填されたトナーボトル４２ｙからトナーが供給される。尚、他の作像ユニット４１ｍ，４１ｃ，４１ｋも同様の構造となっているので、詳細な説明は省略する。レーザスキャナ４３は、感光ドラム４７ｙ，４７ｍ，４７ｃ，４７ｋの表面を露光して感光ドラム４７ｙ，４７ｍ，４７ｃ，４７ｋの表面上に静電潜像を形成する。
【００１４】
中間転写ユニット４４は、作像ユニット４１ｙ，４１ｍ，４１ｃ，４１ｋの上方に配置されている。中間転写ユニット４４は、駆動ローラ４４ａや一次転写ローラ４４ｙ，４４ｍ，４４ｃ，４４ｋ等の複数のローラと、これらのローラに巻き掛けられた中間転写ベルト４４ｂと、クリーニングブレード４４ｄ等を有している。一次転写ローラ４４ｙ，４４ｍ，４４ｃ，４４ｋは、感光ドラム４７ｙ，４７ｍ，４７ｃ，４７ｋにそれぞれ対向して配置され、中間転写ベルト４４ｂに当接する。中間転写ベルト４４ｂに一次転写ローラ４４ｙ，４４ｍ，４４ｃ，４４ｋによって正極性の転写バイアスを印加することにより、感光ドラム４７ｙ，４７ｍ，４７ｃ，４７ｋ上のそれぞれの負極性を持つトナー像が順次中間転写ベルト４４ｂに多重転写される。これにより、中間転写ベルト４４ｂに、フルカラー画像が形成される。クリーニングブレード４４ｄは、中間転写ベルト４４ｂの一部に接触して、中間転写ベルト４４ｂに付着した残留トナーを除去する。
【００１５】
二次転写部４５は、二次転写内ローラ４５ａと、二次転写外ローラ４５ｂとを有している。二次転写外ローラ４５ｂに正極性の二次転写バイアスを印加することによって、中間転写ベルト４４ｂに形成されたフルカラー画像をシートＳに転写する。二次転写内ローラ４５ａは中間転写ベルト４４ｂの内側で中間転写ベルト４４ｂを張架しており、二次転写外ローラ４５ｂは中間転写ベルト４４ｂを挟んで二次転写内ローラ４５ａと対向する位置に設けられている。
【００１６】
定着装置４６は、定着ローラ４６ａ及び加圧ローラ４６ｂを有している。定着ローラ４６ａと加圧ローラ４６ｂとの間でシートＳが挟持及び搬送されることにより、シートＳに転写されたトナー像は加熱及び加圧されてシートＳに定着される。
【００１７】
シート搬送部５０は、二次転写前搬送経路５１と、定着前搬送経路５２と、排出経路５３とを有し、シート給送部２０から給送されたシートＳを画像形成部４０からシート排出部６０に搬送する。
【００１８】
シート排出部６０は、排出経路５３の下流側に配置された排出ローラ対６１と、排出ローラ対６１の下流側に配置された排出トレイ６２とを有している。排出ローラ対６１は、排出経路５３から搬送されるシートＳを、ニップ部から給送し、装置本体１０に形成された排出口１１を通して排出トレイ６２に排出する。
【００１９】
制御部７０はコンピュータにより構成され、いずれも不図示の例えばＣＰＵと、各部を制御するプログラムを記憶するＲＯＭと、データを一時的に記憶するＲＡＭと、外部と信号を入出力する入出力回路とを有している。
【００２０】
このように構成された画像形成装置１では、画像形成動作が開始されると、まず感光ドラム４７ｙ，４７ｍ，４７ｃ，４７ｋが回転して表面が帯電ローラにより帯電される。そして、レーザスキャナ４３により画像情報に基づいてレーザ光が感光ドラム４７ｙ，４７ｍ，４７ｃ，４７ｋに対して発光され、感光ドラム４７ｙ，４７ｍ，４７ｃ，４７ｋの表面上に静電潜像が形成される。この静電潜像にトナーが付着することにより、静電潜像が現像されてトナー画像として可視化され、トナー画像が中間転写ベルト４４ｂに転写される。
【００２１】
一方、このようなトナー画像の形成動作に並行して給送ローラ２２が回転し、給送トレイ２１の最上位シートＳを分離しながら給送する。そして、中間転写ベルト４４ｂのトナー画像にタイミングを合わせて、二次転写前搬送経路５１を介してシートＳが二次転写部４５に搬送される。更に、中間転写ベルト４４ｂからシートＳに画像が転写され、シートＳは、定着装置４６に搬送され、ここで未定着トナー像が加熱及び加圧されてシートＳの表面に定着され、排出ローラ対６１により排出口１１から排出されて排出トレイ６２に積載される。
【００２２】
次に、本実施の形態の画像形成装置１におけるカバー１３及びルーバ８０の構成について、図２乃至図６を用いて説明する。尚、各図中において、画像形成装置１の正面側（前面側）を前側Ｆ、奥側（背面側）を後側Ｂ、前後方向をＤ１、水平方向において前記前後方向Ｄ１と直交する幅方向をＷと表記する。
【００２３】
図２に示すように、装置本体１０の筐体１２には、電装基板箱等の電装部３０や、画像形成部４０等の可動部を駆動させるための駆動ユニット３１や、プロセスカートリッジを挿抜するためのレール部品や、トナーを供給するトナー充填部等が装着されている。本実施の形態では、電装部３０は、画像形成のための画像信号の制御信号や作像高圧を出力するための基板としている。
【００２４】
一般に、画像形成装置１の装置本体１０内の前側Ｆには、作業性を考慮して、使用者が交換可能なプロセスカートリッジ等が配置されている。装置本体１０内の中央部には、画像形成部４０が配置されている。装置本体１０内の右側には、シート給送部２０から供給されたシートＳを搬送して、画像形成後、装置本体１０の上部に設けられた排出トレイ６２に積載するシート搬送部５０が配置されている。その他の装備品である電装部３０や駆動ユニット３１等は、画像形成装置１の幅方向Ｗの寸法の大型化を抑制するため装置本体１０内の左側には配置されず、装置本体１０内の後側Ｂに配置されている。
【００２５】
本実施の形態では、装置本体１０の筐体１２に、駆動ユニット３１が取り付けられている。駆動ユニット３１は、プロセスカートリッジを駆動させるために設けられ、プロセスカートリッジの駆動部に対して駆動軸が傾かないように近接した位置に配置されている。駆動ユニット３１よりも後側Ｂには、後側Ｂに向けて電装部３０と排気用ファン３２とが順に配置されている。電装部３０は、高圧基板箱３３と、電源基板大箱３４と、制御電源基板箱３５と、電源基板小箱３６とを有し、これらを筐体１２よりも後側Ｂに順に配置して設けられている。
【００２６】
電装部３０は、筐体１２に対して水平方向に突出すると共に、下方に空間３０ｓを有して設けられている。筐体１２には、電装部３０を覆うカバー１３が取り付けられている。但し、カバー１３は、筐体１２に取り付けられずに、電装部３０あるいは他の装備品に取り付けられていてもよい。カバー１３は、画像形成装置１の側面から視て、電装部３０の突出した外形に倣った形状に形成されている。このため、カバー１３は、水平方向に突出した電源基板小箱３６と下方の空間３０ｓとの間に、水平な下面１３ａを有している。
【００２７】
画像形成装置１の後側Ｂに装着する複数の装備品は、前後方向Ｄ１に重なって配置されている。このため、画像形成時には電装部３０の各種基板に実装された複数の素子が熱を持つことで、電装部３０が昇温状態となるため、装置本体１０の内部において通気性を十分に考慮して配置する必要がある。発熱する基板は、熱が装置本体１０の内部に停滞しないように、装置本体１０内の外部側に近い部位で常温環境に近いところに配置することが好ましい。これにより、基板からの発熱を放熱し易くすることができる。
【００２８】
カバー１３は画像形成装置１の電装部３０と空間３０ｓとの間を遮蔽しているため、遮蔽による内部昇温を抑制するために、下面１３ａには換気用の透孔１３ｂが形成されている。この透孔１３ｂには、換気用のルーバ８０が取り付けられている。即ち、ルーバ８０は、カバー１３の下面１３ａの透孔１３ｂに設けられ、間隔を開けて並んで配置された複数の羽根８１を有してカバー１３の内部と空間３０ｓとを連通する。各羽根８１の間には、空気が流通可能である（図６中、破線矢印）。本実施の形態では、排気用ファン３２が作動することで、ルーバ８０の外側からカバー１３の内側にエアフローが形成される。
【００２９】
ここで、ルーバをカバー１３の側面に設けた場合は、ルーバの配置によって、壁面１００に対して間隔を開けなければならず、画像形成装置１の設置面積を拡大してしまう。また、ルーバを通してカバー１３の内部が見えてしまうことで、外観が悪化する可能性がある。これに対し、本実施の形態のルーバ８０は空間３０ｓに面した電源基板小箱３６の下方に設けられているので、画像形成装置１を壁面１００に合わせて設置することができ、また外部からカバー１３の内部を見ることは困難になる。このため、装置本体１０の設置面積の縮小と外観の向上とを図ることができる。
【００３０】
図３に示すように、ルーバ８０は、略平板形状で、カバー１３の下面１３ａに取り付けられ、ボルト１４によりねじ止め固定されている。ルーバ８０は、第１のルーバ部材８２と第２のルーバ部材８３とを有している。第１のルーバ部材８２と第２のルーバ部材８３とは、それぞれ合成樹脂製で、例えば射出成形により形成されている。ルーバ８０は、複数の羽根８１を有しており、各羽根８１は、前後方向Ｄ１に例えば２列、幅方向Ｗに多数列になり、マス目状に整列されて配置されている。
【００３１】
図４に示すように、ルーバ８０は、第１のルーバ部材８２が第２のルーバ部材８３に上方から組み付けられて形成されている。即ち、ルーバ８０は、別部材である第１のルーバ部材８２と第２のルーバ部材８３とが組み付けられて一体化されて形成されている。尚、第１のルーバ部材８２と第２のルーバ部材８３とは、ルーバ８０の形成前に別部材であれば、ルーバ８０の形成後に一体化して一つの部材になってもよい。
【００３２】
図５及び図６に示すように、第１のルーバ部材８２は、羽根８１の一部を形成する第１の羽根部８４を有する。また、第１のルーバ部材８２は、前後方向Ｄ１に関して、前側Ｆに配置された２つの第１の羽根部８４と、その後側Ｂに配置された補助羽根部８２ａとを有している。第１の羽根部８４は、前後方向Ｄ１に２列、幅方向Ｗに多数列になり、マス目状に整列されて配置されている（図４参照）。また、第１のルーバ部材８２では、それぞれ幅方向Ｗに隣接する第１の羽根部８４同士及び補助羽根部８２ａ同士の間に隔壁８２ｂが設けられ、隣接する第１の羽根部８４同士、補助羽根部８２ａ同士を区画している。
【００３３】
第２のルーバ部材８３は、羽根８１の他の一部を形成する第２の羽根部８５を有する。また、第２のルーバ部材８３は、前後方向Ｄ１に関して、後側Ｂに配置された２つの第２の羽根部８５と、その前側Ｆに配置された補助羽根部８３ａとを有している。第２の羽根部８５は、前後方向Ｄ１に２列、幅方向Ｗに多数列になり、マス目状に整列されて配置されており（図４参照）、対向する第１の羽根部８４とにより１つの羽根８１が形成されている。また、第２のルーバ部材８３では、それぞれ幅方向Ｗに隣接する第２の羽根部８５同士及び補助羽根部８３ａ同士の間に隔壁８３ｂが設けられ、隣接する第２の羽根部８５同士、補助羽根部８３ａ同士を区画している。
【００３４】
第２の羽根部８５は、第１の羽根部８４の下方で、ルーバ８０の正面視において第１の羽根部８４に対して少なくとも一部が重なり合って配置される。第１の羽根部８４と第２の羽根部８５との重なり量Ｙ１は、例えば８ｍｍ以上とする。これにより、手指等の異物がカバー１３の外部から内部に侵入することを防止できると共に、下方からカバー１３の内部が視認されることを抑制できる。
【００３５】
ここで、本明細書中でルーバ８０の正面視とは、例えば、羽根８１の並び方向（前後方向Ｄ１）と、この前後方向Ｄ１に直交する羽根８１の幅方向Ｗとに直交する方向から視た状態を意味する。また、ルーバ８０の正面視とは、例えば、ルーバ８０の全体を略平板状とした場合の側面の法線方向から視た状態を意味する。あるいは、ルーバ８０の正面視とは、例えば、画像形成装置１に設置したルーバ８０を鉛直方向から視た状態を意味する。いずれの場合も、画像形成装置１に設置したルーバ８０を正面視した際にルーバ８０を通して反対側が視認できるようであれば、カバー１３の内部で落下する流動体がルーバ８０に遮られることなく外部に直接落下してしまう可能性がある。これに対し、本実施の形態では、第１の羽根部８４と第２の羽根部８５とが、ルーバ８０の正面視において少なくとも一部が重なり合っている。これにより、カバー１３の内部で落下する流動体は、少なくとも第１の羽根部８４と第２の羽根部８５とのいずれかにより遮られ、外部に直接落下してしまうことは防止される。
【００３６】
図６に示すように、ルーバ８０は、羽根８１の前後方向（並び方向）Ｄ１の前側（並び方向一方側）Ｆを後側（並び方向他方側）Ｂよりも低くしてカバー１３に設けられている。具体的には、ルーバ８０は、前後方向Ｄ１に関して水平方向に対して後側Ｂを上方にして所定の傾斜角θだけ傾斜して設けられている。傾斜角θとしては、約５°程度としている。本実施の形態では、約５°程度の傾斜としているが、これには限られず、例えば０°を超えて５°以下の傾斜の範囲であれば好適である。また、水平方向に対して後側Ｂを上方にすることには限られず、前側Ｆを上方にしてもよい。ここで、傾斜角θとは、例えば、水平面とルーバ８０の羽根８１の並び方向（例えば、前後方向Ｄ１）との傾斜角を意味する。あるいは、傾斜角θとは、例えば、水平面と略平板状のルーバ８０の側面との傾斜角を意味する。
【００３７】
各第１の羽根部８４は、前後方向Ｄ１に沿った形状の第１の重なり部８４ａと、第１の重なり部８４ａの後端部から後側Ｂに向けて斜め下方に突出した形状の第１の連結部８４ｂとを有している。各第２の羽根部８５は、前後方向Ｄ１に沿った形状の第２の重なり部８５ａと、第２の重なり部８５ａの前端部から前側Ｆに向けて斜め上方に突出した形状の第２の連結部８５ｂとを有している。
【００３８】
各連結部８４ｂ，８５ｂの先端同士は、上下方向に対向し、接触した位置、あるいは極めて近接した位置に配置されている。即ち、第１の連結部８４ｂの先端部と第２の連結部８５ｂの先端部とは上下方向に対向し、第２の連結部８５ｂの先端部の上面は、第１の連結部８４ｂの先端部の下面の下側に潜り込んで配置されている。また、第１のルーバ部材８２の前側Ｆの第１の重なり部８４ａは、第２のルーバ部材８３の補助羽根部８３ａに対して上下方向に重なっている。第１のルーバ部材８２の後側Ｂの第１の重なり部８４ａは、第２のルーバ部材８３の前側Ｆの第２の重なり部８５ａに対して上下方向に重なっている。第１のルーバ部材８２の補助羽根部８２ａは、第２のルーバ部材８３の後側Ｂの第２の重なり部８５ａに対して上下方向に重なっている。これらの構成により、上下方向に関して貫通した部分が無いので、カバー１３の内部で落下する流動体は、少なくとも第１の羽根部８４と第２の羽根部８５とのいずれかにより遮られ、外部に直接落下してしまうことは防止される。
【００３９】
ところで、近年、画像形成装置１は、新興国においても販売され、利用され始めてきている。こうした新興国では電力供給が不安定な場合もあり、そのような環境で画像形成装置１を使用した場合、例えば、画像形成装置１に想定を超えた電圧が与えられ、基板に実装されたコンデンサが過給電されて液漏れを発生する可能性が考えられる。その場合、コンデンサの電解液が、画像形成装置１の外へ飛散しないように装置外への液漏れを防止する必要がある。例えば、図３においてルーバ８０の上方に配置された電源基板小箱３６に取り付けられた基板に実装されたコンデンサから液漏れした場合、漏出液はルーバ８０に向けて落下する。
【００４０】
そこで、本実施の形態の画像形成装置１では、図６に示すように、ルーバ８０の各羽根８１は、上面側に貯留部８６を有している。貯留部８６は、カバー１３の内部で落下する漏出液（流動体）を貯留可能である。尚、本実施の形態では、カバー１３の内部で落下する流動体がコンデンサの電解液である場合について説明しているが、これには限られず、例えば現像剤のような粉状体であってもよい。
【００４１】
貯留部８６は、第１の傾斜面８６ａと第２の傾斜面８６ｂとを、第２の羽根部８５に有している。第１の傾斜面８６ａは、第２の重なり部８５ａの上面に形成され、後端部を前端部より上側にして傾斜し、羽根８１の前後方向Ｄ１に関して水平面に対して傾斜した傾斜面である。第２の傾斜面８６ｂは、第２の連結部８５ｂの上面に形成され、前端部を後端部より上側にして傾斜し、羽根８１の前後方向Ｄ１に関して水平面に対して傾斜した傾斜面である。第１の傾斜面８６ａの下端部と、第２の傾斜面８６ｂの下端部とは、連続して設けられている。本実施の形態では、ルーバ８０は、各第１の重なり部８４ａを直線状に配置すると共に、各第２の重なり部８５ａを第１の重なり部８４ａと平行な直線状に配置している。そのようなルーバ８０を、羽根８１の前後方向Ｄ１の前側Ｆを後側Ｂよりも低くしてカバー１３に設けることにより、各重なり部８４ａ，８５ａの各上面に傾斜を与えている。即ち、ルーバ８０は水平に設置することも可能であるが、漏出液がある一定方向にのみ流れるように傾きθを設けている。
【００４２】
上述した本実施の形態の画像形成装置１において、電源基板小箱３６から液漏れが発生した場合の作用について説明する。この場合、漏出液は、第１の重なり部８４ａの上面、又は第１の重なり部８４ａ同士の間を通過して第１の連結部８４ｂ若しくは第２の連結部８５ｂの上面に落下する。第１の重なり部８４ａの上面に落下した漏出液は、当該上面の傾斜によって前側Ｆに流下して、端部から第２の重なり部８５ａの上面に落下する。第１の連結部８４ｂ若しくは第２の連結部８５ｂの上面に落下した漏出液は、そのまま連結部８４ｂ，８５ｂの傾斜によって第２の重なり部８５ａの上面に流下する。第２の重なり部８５ａの上面、即ち第１の傾斜面８６ａに達した漏出液は、下方側である第２の傾斜面８６ｂ側に貯留する。これにより、漏出液が第１の傾斜面８６ａの上方側から第２の重なり部８５ａ同士の間を抜けてカバー１３の外部に落下することを、低減することができる。
【００４３】
以上説明したように、本実施の形態においては、下方に空間３０ｓを有して設けられる電装部３０を覆うカバー１３の下面１３ａに、カバー１３の内部と電装部３０の下方の空間３０ｓとを連通するルーバ８０が設けられている。これにより、装置本体１０の側面を壁面１００に合わせて設置してもルーバ８０が閉塞されることはないので、画像形成装置１を壁面１００に合わせて、専有面積を小さくして設置することができる。また、ルーバ８０がカバー１３の下面１３ａに設置されているので、装置本体１０の上方あるいは側方からルーバ８０を通してカバー１３の内部が見えてしまうことはない。このため、装置本体１０にルーバ８０を設けながらも、装置本体１０の設置面積の縮小と外観の向上とを図ることができる。
【００４４】
ここで、羽根８１の重なり量Ｙ１については、例えばＵＬ規格では、エンクロージャであるカバー１３の底面にスリット（穴）を設ける場合は、羽根８１の重なり量Ｙ１は、羽根８１の隙間Ｚ１の２倍以上となるように規格化されている。即ち、羽根８１の隙間Ｚ１に対して深い重なり量Ｙ１を有しており、単一部材からなる射出成形材で形成することは困難である。これに対し、本実施の形態によれば、ルーバ８０を第１のルーバ部材８２及び第２のルーバ部材８３の２部材により形成しているので、ＵＬ規格を満たす深い重なり量Ｙ１を有するルーバ８０を射出成形によっても容易に形成することができる。このため、量産性に優れた安価なルーバ８０を実現することができる。
【００４５】
また、本実施の形態によれば、羽根８１は、カバー１３の内部で落下する漏出液を貯留可能な貯留部８６を上面側に有する。このため、例えば、電装部３０のコンデンサからの液漏れを発生した場合であっても、漏出液を貯留部８６に貯留することができるので、画像形成装置１の外部への液漏れを抑制することができる。
【００４６】
なお、上述した本実施の形態では、ルーバ８０は、装置本体１０の後側Ｂに取り付けられたカバー１３の下面１３ａに取り付けられた場合について説明したが、これには限られない。ルーバ８０は、例えば、装置本体１０の側面に取り付けられたカバーの下面に取り付けられてもよい。
【００４７】
また、上述した本実施の形態では、羽根８１は上面側に貯留部８６を有する場合について説明したが、これには限られず、貯留部８６を有していなくてもよい。
【符号の説明】
【００４８】
１…画像形成装置、１０…装置本体、１２…筐体、１３…カバー、１３ａ…下面、３０…電装部、３０ｓ…空間、８０…ルーバ、８１…羽根、８２…第１のルーバ部材、８３…第２のルーバ部材、８４…第１の羽根部、８４ａ…第１の重なり部、８４ｂ…第１の連結部、８５…第２の羽根部、８５ａ…第２の重なり部、８５ｂ…第２の連結部、８６…貯留部、８６ａ…第１の傾斜面、８６ｂ…第２の傾斜面、Ｂ…後側（並び方向他方側）、Ｆ…前側（並び方向一方側）、Ｄ１…前後方向（並び方向）。
【図１】
0006739999.tif 000002
【図２】
0006739999.tif 000003
【図３】
0006739999.tif 000004
【図４】
0006739999.tif 000005
【図５】
0006739999.tif 000006
【図６】
0006739999.tif 000007